(57)【特許請求の範囲】
【請求項１】
不正開錠防止手段と、開錠手段と、施錠手段と、を備える防犯ロック装置であって、
前記不正開錠防止手段は、外サッシ窓に取り付けられる間欠施錠取付リングの挿通穴の内周縁の一部に施錠キーの施錠突起が挿通される間欠溝を形成すると共に、内側に隙間段差を形成する少なくとも１以上の間欠連動施錠リングにおける挿通穴の内周縁の一部に施錠キーの施錠突起が挿通される間欠溝を形成し、前記間欠施錠取付リングの間欠溝と、前記間欠連動施錠リングの間欠溝と、を所定の角度ずらして連結する形状に形成して成り、
前記開錠手段は、ロッド状の施錠キーの先端には施錠突起を突設し、スリーブ部の所定の位置に周設される嵌め込み凹部に嵌め込まれる係止リングを設け、後端には指先で摘むことができる摘み部を形成して成り、
前記施錠手段は、内サッシ窓に取り付けられる施錠キー保持管には前記施錠キーの係止リングが係止される係止凹部を形成すると共に、前記施錠キーのスリーブ部が摺動する摺動ガイド穴を形成し、
カップ状のフランジの後端縁には前記摘み部が回動して角度調整を行う開錠目盛りを周設して成ることを特徴とする防犯ロック装置。
【請求項２】
前記請求項１記載の防犯ロック装置をサッシ窓の縦框部の所定の位置に装着したことを特徴とするサッシ窓。
【請求項３】
前記請求項１の防犯ロック装置をサッシ窓の縦框部に装着すると共に、前記防犯ロック装置の不正開錠防止手段を単独でサッシ窓の横框部の長手方向における所定の位置に装着したことを特徴とするサッシ窓。
【発明の詳細な説明】
【技術分野】
【０００１】
本発明は、外部からの不正開錠操作を困難なものとする共に、内部からの施錠ならびに開錠操作を容易なものとし、さらにサッシ窓を適宜開放した状態で施錠することができる防犯ロック装置とそれを装着したサッシ窓に関する。
【背景技術】
【０００２】
従来の防犯ロック装置とそれを装着したサッシ窓の多くは、サッシ窓枠にクレセント錠を設け、そのサッシ窓の内側から施錠して外部からの侵入を防止する防犯機能を備えて提供されている。さらに、その防犯機能を強化する機能として二重ロック式、ダイヤル式、ねじ込み式、落込み式、差込み式、つっかい棒式などの二重の防犯機能を付加させて外部からの侵入を防止する防犯ロック錠が提供されている。
【０００３】
しかしながら、それらの防犯ロック錠における防犯機能は、サッシ窓のガラスを破壊して侵入する手口に対しては全く無防備であると共に、家人の施錠作業にかかわる手間が煩雑であったり、二重にロックする開錠キーが紛失する可能性があったりして安全な防犯ロック錠としての防犯機能が充分に満たされるものではなかった。
【０００４】
上記における従来の防犯ロック錠に関する提案としては、例えば、侵入者の解錠動作をより困難にし、サッシ施錠の確実・安全性を高め、防犯効果をより優れたものにする「サッシ用二重錠」(特許文献１参照)が提案され、公知技術となっている。
【０００５】
しかしながら、係る「サッシ用二重錠」の提案は、台座と主レバー付きカムと台座に主レバー付きカムを枢着する軸と施錠時に主レバー付きカムの回転を制止するロック機構とを備えるサッシ用二重錠において、ロック機構が暗唱数字ないし暗唱記号を合せる組合せ錠としたサッシ用二重錠ならびに同サッシ用二重錠であって、組合せ錠が少なくとも１箇の間欠連動機構付き選択片と係止片とを備えるものではあるが、該提案は、二重錠の構造が複雑であることから製造コストの高騰につながると共に、ダイヤル式の摘み部が完全に露出していることによって外部からの開錠作業が容易に行えるといった問題があるものであった。
【０００６】
また、引き違いサッシ窓等において、防犯要素を総合的に備えることにより、空き巣による不正侵入を未然に阻止する「二重ロック装置」(特許文献２参照)が提案され、公知技術となっている。
【０００７】
しかしながら、係る「二重ロック装置」の提案は、内障子の召合せ框に配置されたメインロック錠及びサブロック錠と、該内障子の召合せ框に内設されたスライドプレートと、外障子の召合せ框に設けられた錠受けとからなる引き違いサッシ窓等のロック装置であって、メインロック錠は、動作用摘みを備える回転シリンダー構造であって、シリンダーの先端に施錠フックが形成されるとともにその先端に近い所定位置に切欠きカムが形成されており、サブロック錠は、動作用摘みを備える回転シリンダー構造であって、シリンダーの先端部に施錠フックが形成されるとともにその先端に近い所定位置に係止溝が設けられており、スライドプレートは、上部にサブロック錠に形成されている施錠フックを遊挿する係止孔が設けられている構造の二重ロック装置とするものではあるが、該提案は、メインロック錠とサブロック錠を備えていることによって、製造コストの高騰になりがちになることに加え、内側からの施錠に手間を要すると共に、スライドプレートをサッシ窓枠内に内蔵する施工工事が複雑且つ、難儀であるといった問題点があるものだった。
【０００８】
また、サッシ補助錠の過誤解錠・施錠の完全な防止と防犯性の格段の向上を図る「窓サッシ等の補助錠」(特許文献３参照)が提案され、公知技術となっている。
【０００９】
しかしながら、係る「窓サッシ等の補助錠」の提案は、障子の横框内に取付けられるケースと、そのケースに設けられ、キーにより回されるシリンダー錠と、そのシリンダー錠の回転により前記ケース内を水平方向に往復移動されるスライダと、前記ケース内に垂直軸回りに回動自在に設けられ、前記ケースから室内側に突出する施錠位置と前記ケース内に没入する解錠位置との間を出没するストッパと、前記ストッパを解錠位置に向けて付勢する付勢部材とを備え、キーを介して前記シリンダー錠を所定方向に回すと、往動される前記スライダにより前記ストッパがその背面を押されて前記ケースから突出するようにしたものではあるが、該提案は、サッシ窓を適宜開放した状態で施錠することができるものではあるが、取り付け箇所がサッシ窓枠の上部または下部に限定されることから施錠時ならびに開錠時に背伸びしたり、しゃがんだりする無理な施錠姿勢を強いられるものであり、さらに日常時における二重キーの取り付け取り外し作業や保管管理を要するなどの問題点があるものであった。
【００１０】
また、金属製又はアルミニウム製で出来ている窓枠の空洞部を利用した「防犯ネジコマ錠付窓枠」(特許文献４参照)が提案され、公知技術となっている。
【００１１】
しかしながら、係る「防犯ネジコマ錠付窓枠」の提案は、少なくても、窓枠は金属製又はアルミニウム製で作られている窓枠で、窓枠の内側は、空洞になっている窓枠である、その窓枠と窓枠を開いた時、２枚の窓枠がかさね合う、後部に当たる窓枠の１ 部に穴をあけ、穴をあけたその部分の空洞部に、メネジを取付け、その２枚の窓枠のメネジとメネジにネジコマを回し締め、２枚の窓枠が固定した時、ネジコマ全体が窓枠の空洞部の内側に収納するものではあるが、該提案は、侵入者がネジコマを開錠する鍵の複製を不正に調達することができるものであり、またサッシ窓のガラスを破ってネジコマ錠を容易に不正開錠することができる問題点があると共に、施錠時ならびに日常時のネジコマ錠の取り付け取り外し作業や保管管理を必要とするなどの問題点があるものであった。
【００１２】
本出願人は、以上のような侵入者による外部からの不正開錠操作が容易に行われる問題や、二重ロック錠の紛失の恐れがある問題や、サッシ窓を適宜開放した状態で施錠することができない問題や、クレセント錠の取り付けによる内サッシ窓と取り付け枠との間に隙間ができる問題に着目し、それらの問題点を安価且つ簡易的な手段で解決することができないものかとの着想の下、外部からの不正開錠操作を困難なものとする共に、内部からの施錠ならびに開錠操作を容易なものとし、さらにサッシ窓を適宜開放した状態で施錠することができる防犯ロック装置とそれを装着したサッシ窓を開発し、本発明における「防犯ロック装置とそれを装着したサッシ窓」の提案に至るものである。
【先行技術文献】
【特許文献】
【００１３】
【特許文献１】特開平８−１５８７１８号公報
【特許文献２】特開２００７−１１３２０４号公報
【特許文献３】特開２００４−３６０３１２号公報
【特許文献４】特開２００５−２７３４３７号公報
【発明の概要】
【発明が解決しようとする課題】
【００１４】
本発明は上記問題点に鑑み、外部からの不正開錠操作を困難なものとする共に、内部からの施錠ならびに開錠操作を容易なものとし、さらにサッシ窓を適宜開放した状態で施錠することができる防犯ロック装置とそれを装着したサッシ窓の提供を図ることを課題とする。
【課題を解決するための手段】
【００１５】
本発明における防犯ロック装置とそれを装着したサッシ窓は、上記課題を解決するためになされるもので、該防犯ロック装置は、不正開錠防止手段と、開錠手段と、施錠手段と、を備える防犯ロック装置であって、前記不正開錠防止手段は、外サッシ窓に取り付けられる間欠施錠取付リングの挿通穴の内周縁の一部に施錠キーの施錠突起が挿通される間欠溝を形成すると共に、内側に隙間段差を形成する少なくとも１以上の間欠連動施錠リングにおける挿通穴の内周縁の一部に施錠キーの施錠突起が挿通される間欠溝を形成し、前記間欠施錠取付リングの間欠溝と、前記間欠連動施錠リングの間欠溝と、を所定の角度ずらして連結する形状に形成して成り、前記開錠手段は、ロッド状の施錠キーの先端には施錠突起を突設し、スリーブ部の所定の位置に周設される嵌め込み凹部に嵌め込まれる係止リングを設け、後端には指先で摘むことができる摘み部を形成して成り、前記施錠手段は、内サッシ窓に取り付けられる施錠キー保持管には前記施錠キーの係止リングが係止される係止凹部を形成すると共に、前記施錠キーのスリーブ部が摺動する摺動ガイド穴を形成し、カップ状のフランジの後端縁には前記摘み部が回動して角度調整を行う開錠目盛りを周設して成る手段を採る。
【００１６】
また本発明におけるサッシ窓は、前記請求項１記載の防犯ロック装置をサッシ窓の縦框部の所定の位置に装着した手段を採る。
【００１７】
また本発明におけるサッシ窓は、前記請求項１記載の防犯ロック装置をサッシ窓の縦框部に装着すると共に、前記防犯ロック装置の不正開錠防止手段を単独でサッシ窓の横框部の長手方向における所定の位置に装着した手段を採る。
ことができる
【発明の効果】
【００１８】
本発明の防犯ロック装置によれば、外サッシ窓に取り付けられる間欠施錠取付リングの挿通穴の内周縁の一部に施錠キーの施錠突起が挿通される間欠溝を形成すると共に、内側に隙間段差を形成する少なくとも１以上の間欠連動施錠リングにおける挿通穴の内周縁の一部に施錠キーの施錠突起が挿通される間欠溝を形成し、該間欠施錠取付リングの間欠溝と、間欠連動施錠リングの間欠溝と、を所定の角度ずらして連結する形状に形成されることによって、二度に亘って開錠作業を行わなければならないことから外部からの不正開錠操作を困難なものとするといった優れた効果を奏する。
【００１９】
また本発明の防犯ロック装置によれば、ロッド状の施錠キーには、係止リングが設けられると共に、施錠キー保持管には、該係止リングが係止される係止凹部が設けられて嵌め合わさることによって、開錠された状態の施錠キーが、内サッシ窓と外サッシ窓との間に飛び出さないで係止されるといった優れた効果を奏する。
【００２０】
また本発明の防犯ロック装置によれば、主要部品が極めて少数の部品で構成されるによって、製造コストの低廉が図られ、さらに取り付け作業が容易とすると共に、既存のサッシ窓に後付けで装着できるといった優れた効果を奏する。
【００２１】
また本発明の防犯ロック装置によれば、単純に施錠キーを回動することによって施錠作業が容易に行えると共に、一端施錠されると不正開錠防止手段によって侵入者による不正開錠が困難なものとなるため、簡易的な構造でもって極めて高い防犯効果が得られるといった優れた効果を奏する。
【００２２】
また本発明のサッシ窓によれば、間欠施錠取付リングの間欠溝と、間欠連動施錠リングの間欠溝の組み合わせと、開錠目盛りによる設定手段とによって、装着する人の自由意思による幾通りの組み合わせ設定ができるといった優れた効果を奏する。
【００２３】
また本発明のサッシ窓によれば、防犯ロック装置をサッシ窓の横框部に取り付けることによってサッシ窓を適宜開放した状態で施錠することができるため、夜間や外出時に不正侵入者が通り抜けない程度の防犯機能を確保した隙間状態が得られると共に、常時開放されるペットの出入り口が確保されると共に、クーラーを稼動させないで外気を取り入れることができるといった優れた効果を奏する。
【図面の簡単な説明】
【００２４】
【図１】本発明における請求項１の防犯ロック装置の実施形態を示す説明図である。（実施例１）
【図２】本発明における請求項１の防犯ロック装置の使用状態を示す説明図である。
【図３】本発明における請求項２のサッシ窓の実施形態を示す説明図である。（実施例２）
【図４】本発明における請求項３のサッシ窓の実施形態を示す説明図である。（実施例３）
【発明を実施するための形態】
【００２５】
本発明における防犯ロック装置１０とそれを装着したサッシ窓５０は、間欠施錠取付リング２１と間欠連動施錠リング２４による不正開錠手段２０と、施錠キー３１による開錠手段３０と、施錠キー保持管４１による施錠手段４０とで構成されることで、外部からの不正開錠操作を困難なものとする共に、内部からの施錠ならびに開錠操作を容易なものとし、さらにサッシ窓を適宜開放した状態で施錠することができる手段を採ったことを最大の特徴とする。以下、本発明における防犯ロック装置１０とそれを装着したサッシ窓５０の実施形態を図面を基に説明する。
【００２６】
尚、本発明における防犯ロック装置１０とそれを装着したサッシ窓５０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００２７】
図１は、本発明における請求項１の防犯ロック装置の実施形態を示す説明図である。
本発明における防犯ロック装置１０は、不正開錠防止手段２０と、開錠手段３０と、施錠手段４０と、を備える防犯ロック装置１０であって、該不正開錠防止手段２０は、外サッシ窓５０aに取り付けられる間欠施錠取付リング２１の挿通穴２２の内周縁の一部に施錠キー３１の施錠突起３２が挿通される間欠溝を２３を形成すると共に、内側に隙間段差２７を形成する少なくとも１以上の間欠連動施錠リング２４における挿通穴２５の内周縁の一部に施錠キー３１の施錠突起３２が挿通される間欠溝２６を形成し、該間欠施錠取付リング２１の間欠溝２３と、間欠連動施錠リング２４の間欠溝２６と、を所定の角度ずらして連結する形状に形成して成り、開錠手段３０は、ロッド状の施錠キー３１の先端には施錠突起３２を突設し、スリーブ部３７の所定の位置に周設される嵌め込み凹部３３に嵌め込まれる係止リング３４を設け、後端には指先で摘むことができる摘み部３５を形成して成り、施錠手段４０は、内サッシ窓５０aに取り付けられる内サッシ窓５０bに取り付けられる施錠キー保持管４１には施錠キー３１の係止リング３４が係止される係止凹部４２を形成すると共に、施錠キー３１のスリーブ部３７が摺動する摺動ガイド穴４３を形成し、カップ状のフランジ４５の後端縁には摘み部３５が回動して角度調整を行う開錠目盛り４４を周設して形成される。
【００２８】
不正開錠防止手段２０は、外サッシ窓５０aに取り付けられる間欠施錠取付リング２１の挿通穴２２の内周縁の一部に施錠キー３１の施錠突起３２が挿通される間欠溝を２３形成すると共に、内側に隙間段差２７を形成する少なくとも１以上の間欠連動施錠リング２４における挿通穴２５の内周縁の一部に施錠キー３１の施錠突起３２が挿通される間欠溝２６を形成し、該間欠施錠取付リング２１の間欠溝２３と、間欠連動施錠リング２４の間欠溝２６と、を所定の角度ずらして連結する形状に形成される。
【００２９】
上記における不正開錠防止手段２０の角度調整方法は、まず家人の自由意志で間欠施錠取付リング２１の間欠溝２３を回転させて取り付け位置を決定し、さらに間欠連動施錠リング２４の間欠溝２６を回転させて取り付け位置を決定した状態で、該間欠溝２３、２６同士の回転角度の開錠目盛り４４の位置を記憶して組み立てた後、外サッシ窓５０aの内側に取り付けることで、オリジナルの角度調整を行うことができることによって侵入者の不正開錠行為を困難なものとすることができる。
【００３０】
また、家人の意思で短時間の外出や就寝時での簡単な防犯効果を望む場合は、開錠に容易な間欠施錠取付リング２１のみによる開錠目盛りの設定ができると共に、外出時など厳重な防犯効果を望む場合は、間欠施錠取付リング２１と間欠連動施錠リング２４による二重の開錠目盛りの設定を行うことによって、その時の外出事情に合わせた防犯対策を図ることができる。
【００３１】
間欠施錠取付リング２１は、外サッシ窓５０aに任意に角度調整することができる形状に取り付けられると共に、施錠キー３１の施錠突起３２が挿通される間欠溝２３を挿通穴２２の内周縁の一部に形成し、さらに間欠連動施錠リング２４に連結される構造を有して形成される。
また、図示はしていないが、間欠施錠取付リング２１の表面に中央がテーパ状に窪んだガイドキャップを被嵌させることによって、施錠キー３１の先端部を挿通穴２２の位置に誘導して施錠を容易なものとすることができる。
【００３２】
間欠連動施錠リング２４は、少なくとも１以上の個数をもって組み合わされ、内側に隙間段差２７を形成すると共に、挿通穴２５の内周縁の一部に施錠キー３１の施錠突起３２が挿通される間欠溝２６と、間欠施錠取付リング２１の間欠溝２３と、を所定の角度ずらして連結する形状に形成される。
また、複数個設けられることで開錠目盛り４４の設定の作業が増えることによって、より防犯効果を向上させることができる。その際、施錠キー３１、取り付けねじ、取り付け穴の構造は取り付け個数によって変更されることは言うまでもない。
【００３３】
隙間段差２７は、施錠キー３１の施錠突起３２がダイヤル開錠目盛り４４によって不正開錠防止手段２０の中で回動する隙間を形成するために間欠連動施錠リング２４の内側に形成される段差空間である。また、該隙間段差２７の代わりに隙間段差２７と同形状のスペーサーを挟み込んで代用することもできる。
また、隙間段差２７による施錠キー３１の施錠突起３２の嵌め合いが一定の隙間ガタがあることによって侵入者の不正開錠操作をより困難なものとする構造を有して形成される。
【００３４】
開錠手段３０は、ロッド状の施錠キー３１の先端に設けられる施錠突起３２と、スリーブ部３７の所定の位置に周設される嵌め込み凹部３３に嵌め込まれる係止リング３４と、後端に設けられる摘み部３５によって構成される。
【００３５】
施錠キー３１は、ロッド状の先端には間欠施錠取付リング２１と間欠連動施錠リング２４の間欠溝２３、２６に挿通される施錠突起３２を突設し、スリーブ部３７の所定の位置に周設される嵌め込み凹部３３に嵌め込まれる係止リング３４を設け、後端には指先で摘むことができる摘み部３５を備えて形成される。
【００３６】
施錠突起３２は、ロッド状の施錠キー３１の先端に打ち込みピンを突設して設けられるもので、間欠施錠取付リング２１と間欠連動施錠リング２４の間欠溝２３、２６に挿通して開錠目盛り４４の設定によって施錠される役目を果たす。
【００３７】
嵌め込み凹部３３は、施錠キー３１のスリーブ部３７の所定の位置に、係止リング３４が嵌め込まれる凹部状の形状を有して周設される。
【００３８】
係止リング３４は、ロッド状の施錠キー３１のスリーブ部３７の所定の位置に設けられる弾性を有する合成樹脂製のＯリングで形成されるもので、サッシ窓５０が開放される通常の状態において、内外サッシ窓５０a、５０bの間に施錠キー３１の先端が飛び出さないように係止する役割を果たす形状に形成される。
【００３９】
摘み部３５は、施錠キー３１の後端に指先で摘むことができる形状で形成されるもので、組み立て時においては、施錠キー保持管４１の摺動ガイド穴４３を挿通させなければならないことから、分解可能に組み立てられ、組み立て後に施錠キー３１の後端に打ち込みピンによって固着される。また使用される際に、施錠キー３１を手前に引き込む操作が必要になることと、開錠目盛り４４の設定作業を合わせ易くするために緩やかな曲線を有するI型形状が好ましい。
【００４０】
施錠手段４０は、内サッシ窓５０bに取り付けられる施錠キー保持管４１には施錠キー３１の係止リング３４が係止される係止凹部４２を形成すると共に、施錠キー３１のスリーブ部３７が摺動する摺動ガイド穴４３を形成し、カップ状のフランジ４５の後端縁には摘み部３５が回動して角度調整を行う開錠目盛り４４が周設される形状に形成される。
【００４１】
施錠キー保持管４１は、施錠キー３１の係止リング３４が係止される係止凹部４２が形成されると共に、施錠キー３１のスリーブ部３７が摺動する摺動ガイド穴４３を形成し、カップ状のフランジ４５の後端縁には開錠目盛り４４が周設される形状に形成されるもので、施錠時において施錠キー３１の摘み部３５がカップ状のフランジ４５内に埋没することによって侵入者の不正開錠操作を困難なものとすると共に、施錠キー３１のスライド動作をスムーズに行う役割を果たし、さらにカップ状のフランジ４５の後端縁に開錠目盛り４４を周設して摘み部３５を回動させて角度調整することができる形状に形成される。
尚、施錠キー保持管４１の取り付けが侵入者によって不正に取り外されたとしても、施錠キー３１の先端の施錠突起３２が不正開錠防止手段２０の間欠溝２３、２６に係止されていることによってサッシ窓５０を不正に開放することができない安全な構造となっている。
【００４２】
係止凹部４２は、施錠キー保持管４１の摺動ガイド穴４３の所定の位置に設けられ、施錠キー３１のスリーブ部３７の所定の位置に設けられる係止リング３４が嵌め込まれることによって、サッシ窓５０が開放される通常の状態において、内外サッシ窓５０a、５０bの間に施錠キー３１の先端が飛び出さないように係止する役割を果たす形状に形成される。
尚、施錠キー３１の係止リング３４と施錠キー保持管４１の係止凹部４２は、互い違いとなる形状を有して構成することもできる。
【００４３】
摺動ガイド穴４３は、先端部がテーパ状に開口すると共に、施錠キー３１のスリーブ部３７が摺動する貫通穴の所定の位置には施錠キー３１の係止リング３４が係止される係止凹部４２が設けられる。
【００４４】
開錠目盛り４４は、施錠キー保持管４１のカップ状のフランジ４５の後端縁に周設されるもので、摘み部３５を回動させることで開錠目盛り４４の設定がなされる目盛りが形成される。
【００４５】
カップ状のフランジ４５は、施錠キー保持管４１の後方に設けられるもので、該後端縁には摘み部３５の回動角度を調節する目印となる開錠目盛り４４が周設されると共に、施錠時には摘み部３５がカップ状のフランジ４５内に埋没することによって侵入者の不正開錠を困難なものとする一方、通常時は突出していることによって家人には使いやすい構造となっている。
【００４６】
外サッシ窓５０aは、縦框部５１の中央内側には不正開錠防止手段２０の取り付けネジ穴と挿入穴が設けられて形成される。
【００４７】
内サッシ窓５０bは、縦框部５１の中央内側には施錠手段４０が取り付けられる取り付けネジ穴と挿入穴が設けられ、中央外側には組み立てられた施錠キー３１が挿入可能な挿入穴が設けられて形成される。
【００４８】
以上で構成される本発明の防犯ロック装置１０は、外部からの不正開錠操作を困難なものとする一方、内部からの施錠ならびに開錠操作を容易なものとする。
【００４９】
図２は、本発明における請求項１の防犯ロック装置の使用状態を示す説明図である。
図２（ａ）は防犯ロック装置１０の通常の取り付け状態を示す。
外サッシ窓５０aには、間欠施錠取付リング２１と間欠連動施錠リング２４による不正開錠手段２０が取り付けられ、内サッシ窓５０bには施錠キー保持管４１による施錠手段４０が取り付けられ、該外サッシ窓５０aと内サッシ窓５０bの間には施錠キー３１による開錠手段３０が設けられ、施錠キー３１の係止リング３４と施錠キー保持管４１の係止凹部４２との嵌め込みによって施錠キー３１の先端が内外サッシ窓５０a、５０bの間の隙間に飛び出さないように係止されている。
【００５０】
図２（ｂ）は防犯ロック装置１０の間欠施錠取付リング２１を施錠する状態を示す。
（1）施錠キー３１の摘み部３５を指で摘んで押し込み、施錠キー保持管４１の係止凹部４２と施錠キー３１の係止リング３４の係止状態を解除する。
（2）施錠キー３１をさらに押し込んでその先端を外サッシ窓５０aの間欠施錠取付リング２１に当接させる。
（3）さらに施錠キー３１を押し込みながら所定の開錠目盛り位置まで回動させて施錠キー３１の施錠突起３２を間欠施錠取付リング２１の間欠溝２３に落とし込む。
【００５１】
図２（ｃ）は防犯ロック装置１０の間欠連動施錠リング２４を施錠する状態を示す。
（4）さらに施錠キー３１を押し込みながら所定の開錠目盛り位置まで回動させて施錠キー３１の施錠突起３２を間欠連動施錠リング２４の間欠溝２６に落とし込む。
（施錠キー３１の施錠突起３２が、回動して間欠溝２３と間欠溝２６に夫々落とし込まれることによって二重に施錠されることになる。また、その時の外出事情によって簡易的に施錠キー３１の施錠突起３２を間欠溝２３のみに落とし込んで施錠することもできる。）
（5）押し込まれた施錠キー３１の摘み部３５が施錠キー保持管４１のカップ状のフランジ４５内に埋没することによって外部からの不正開錠操作を困難なものとなる。
防犯ロック装置１０の開錠状態を説明する。
（6）施錠キー保持管４１のカップ状のフランジ４５内に埋没している摘み部３５を摘んで施錠キー３１を手前に引き戻しながら所定の開錠目盛り位置まで回動させて施錠キー３１の施錠突起３２を間欠連動施錠リング２４の間欠溝２６から引き外す。
（7）さらに施錠キー３１を手前に引き戻しながら所定の開錠目盛り位置まで回動させて施錠キー３１の施錠突起３２を間欠施錠取付リング２１の間欠溝２３から引き外す。
（8）さらにまた施錠キー３１を手前に引き戻しながら回動させて施錠キー３１の係止リング３４を施錠キー保持管４１の係止凹部４２に嵌め込んで施錠キー３１を内サッシ窓５０b内に係止させる。
【実施例２】
【００５２】
図３は、本発明における請求項２のサッシ窓の実施形態を示す説明図である。
本発明におけるサッシ窓５０は、請求項１記載の防犯ロック装置１０をサッシ窓５０の縦框部５１に装着して形成されるもので、図３（a）はサッシ窓５０の中央に横框部５２がない場合の取り付け状態を示す。
防犯ロック装置１０をサッシ窓５０の縦框部５１の中央に取り付けることによって、外部からの不正開錠操作を困難なものとする共に、内部からの施錠ならびに開錠操作を容易なものとすることができる。
また、図示はしていないが、不正開錠防止手段２０を単独で外サッシ窓５０aの上下の何れか一方の横框部５２の長手方向における所定の位置に装着することもできる。さらに、図３（b）で示すように防犯ロック装置１０をクレセント錠５３が設けられている縦框部５１の上下の何れかまたは両方に二重錠として取り付けることもできる。
【００５３】
以上で構成される本発明のサッシ窓５０は、外部からの不正開錠操作を困難なものとする共に、内部からの施錠ならびに開錠操作を容易なものとし、さらに従来のクレセント錠５３を備えるサッシ窓５０に後付けすることもできる。
【実施例３】
【００５４】
図４は、本発明における請求項３のサッシ窓の実施形態を示す説明図である。
本発明におけるサッシ窓５０は、請求項１記載の防犯ロック装置１０をサッシ窓５０の縦框部５１に装着すると共に、防犯ロック装置１０の不正開錠防止手段２０を単独でサッシ窓５０の横框部５２の長手方向における所定の位置に装着することで、サッシ窓５０を侵入者が侵入できない程度の隙間Ｓをあけて適宜開放した状態で施錠することによって、クーラーをかけない状態で室内を開放することができる。また短時間の外出時においても隙間Ｓを適宜開放した状態で施錠することもできる。
【００５５】
図４（a）はサッシ窓５０の中央に横框部５２がある場合の取り付け状態を示す。防犯ロック装置１０をサッシ窓５０の中央の縦框部５１に取り付け、さらに不正開錠防止手段２０を単独で外サッシ窓５０aの横框部５２の長手方向における所定の位置に装着することができる。
【００５６】
図４（b）はサッシ窓５０の一部を開放した状態を示す。
防犯ロック装置１０をサッシ窓５０の中央の縦框部５１に取り付け、さらに不正開錠防止手段２０を単独で外サッシ窓５０aの横框部５２の長手方向における所定の位置に装着することによって、サッシ窓５０を人が通り抜けない程度の適宜開放した状態にすることができるもので、サッシ窓５０を夜間や外出時に一部開放した状態にしても安全且つ確実に施錠することができる。
【００５７】
以上で構成される本発明のサッシ窓５０は、外部からの不正開錠操作を困難なものとする共に、内部からの施錠ならびに開錠操作を容易なものとし、さらにまたサッシ窓５０を適宜開放した状態で施錠することができるサッシ窓５０の提供を可能にする。
【産業上の利用可能性】
【００５８】
本発明における防犯ロック装置とそれを装着したサッシ窓は、従来の防犯ロック装置とそれを装着したサッシ窓の構造と比較して極めて簡易的な構造と低コストでの製造を可能にすることから、外部からの不正開錠操作を困難なものとする共に、内部からの施錠ならびに開錠操作を容易なものとし、さらにサッシ窓を適宜開放した状態で施錠することができる防犯ロック装置とそれを装着したサッシ窓として巾広く利用できるもので、本発明における「防犯ロック装置とそれを装着したサッシ窓」の産業上の利用可能性は極めて大であるものと解する。
【符号の説明】
【００５９】
１０  防犯ロック装置
２０  不正開錠防止手段
２１  間欠施錠取付リング
２２  挿通穴
２３  間欠溝
２４  間欠連動施錠リング
２５  挿通穴
２６  間欠溝
２７  隙間段差
３０  開錠手段
３１  施錠キー
３２  施錠突起
３３  嵌め込み凹部
３４  係止リング
３５  摘み部
３６  係止突部
３７  スリーブ部
４０  施錠手段
４１  施錠キー保持管
４２  係止凹部
４３  摺動ガイド穴
４４  開錠目盛り
４５  カップ状のフランジ
５０  サッシ窓
５０a 外サッシ窓
５０b 内サッシ窓
５１  縦框部
５２  横框部
５３  クレセント錠
Ｓ  隙間
【要約】外部からの不正開錠操作を困難なものとする共に、内部からの施錠ならびに開錠操作を容易なものとし、さらにサッシ窓を適宜開放した状態で施錠することができる防犯ロック装置とそれを装着したサッシ窓の提供を図る。
【解決手段】不正開錠防止手段と、開錠手段と、施錠手段と、を備える防犯ロック装置であって、該不正開錠防止手段には、間欠施錠取付リングに形成される間欠溝と、間欠連動施錠リングに形成される間欠溝と、を所定の角度ずらして連結する形状に形成し、開錠手段には、ロッド状の施錠キーの先端には施錠突起を突設し、スリーブ部の所定の位置に周設される嵌め込み凹部に嵌め込まれる係止リングを設け、後端には指先で摘むことができる摘み部を形成し、施錠手段には、内サッシ窓に取り付けられる施錠キー保持管に係止凹部を形成すると共に、摺動ガイド穴を形成し、カップ状のフランジの後端縁には開錠目盛りを周設して成る手段を採る。
【選択図】図１【図１】
0005837720.tif 000002
【図２】
0005837720.tif 000003
【図３】
0005837720.tif 000004
【図４】
0005837720.tif 000005